(57)【要約】【課題】本発明は、バッテリの充電時に、動作を実行する場合でも、バッテリを充電する電力を確保し、短時間でバッテリの充電を完了させることができる携帯型電子機器を提供することを課題とする。【解決手段】バッテリ２０への充電時に、動作制御部１７は、バッテリ２０におけるバッテリ残量に応じて動作部１０における動作を制限し、バッテリ残量が多くなるほど動作負荷が重い動作を順次実行可能に制御する。例えば、再生処理部１６によるコンテンツの再生動作を実行可能に制御するバッテリ残量よりも多いバッテリ残量で、再生処理部１６によるコンテンツの再生動作よりも動作負荷が重い通信部１４によるコンテンツの取得動作を実行可能に制御する。【選択図】        図２
2008131777.tif 000002
【特許請求の範囲】
【請求項１】
動作負荷が異なる複数の動作を行う携帯型電子機器であって、
前記動作を行うための動作電力を供給するバッテリと、
該バッテリへの充電を制御すると共に、前記動作を行うための動作電力を供給する充電制御手段と、
該充電制御手段による前記バッテリへの充電時には、前記バッテリにおけるバッテリ残量に応じて前記動作を制限し、前記バッテリ残量が多くなるほど動作負荷が重い前記動作を順次実行可能に制御する動作制御手段とを具備することを特徴とする携帯型電子機器。
【請求項２】
前記バッテリの前記バッテリ残量を常時検出する残量検出手段を具備し、
前記動作制御手段は、前記残量検出手段によって検出された前記バッテリ残量に応じて前記動作を制限することを特徴とする請求項１記載の携帯型電子機器。
【請求項３】
ネットワークからコンテンツを取得する通信手段と、
該通信手段によって取得された前記コンテンツを記録する情報記録手段と、
該情報記録手段に記録された前記コンテンツを再生する再生処理手段とを具備し、
前記動作制御手段は、前記再生処理手段による前記コンテンツの再生動作を実行可能に制御する前記バッテリ残量よりも多い前記バッテリ残量で、前記通信手段による前記コンテンツの取得動作を実行可能に制御することを特徴とする請求項１又は２記載の携帯型電子機器。
【発明の詳細な説明】
【技術分野】
【０００１】
本発明は、動作負荷が異なる複数の動作を行う携帯型電子機器に関し、特にバッテリからの動作電力によって動作する携帯型電子機器に関する。
【背景技術】
【０００２】
携帯型電子機器のバッテリに充電を行う際に、ユーザが充電優先モードもしくは動作優先モードを選択可能に構成し、充電優先モードでは、低消費電力動作モードに切り換えることで、バッテリを充電する電力を確保し、動作優先モードでは、動作に必要な電力を確保して、残った電力を充電用として使用することで、ユーザが利用状況に合わせたバッテリの充電を行うことが提案されている（例えば、特許文献１参照）。
【０００３】
しかしながら、従来技術では、充電を優先する際に、低消費電力動作モードに切り換えることで、バッテリを充電する電力を確保するようにしているが、動作負荷が異なる動作が複数存在するのが一般的であり、充電の初期状態で動作負荷が重い動作を実行してしまった場合には、充電時間が長くなってしまうという問題点があった。
【特許文献１】特開２００２−７８２２７号公報
【発明の開示】
【発明が解決しようとする課題】
【０００４】
本発明は斯かる問題点に鑑みてなされたものであり、その目的とするところは、バッテリの充電時に、動作を実行する場合でも、バッテリを充電する電力を確保し、短時間でバッテリの充電を完了させることができる携帯型電子機器を提供する点にある。
【課題を解決するための手段】
【０００５】
本発明は上記課題を解決すべく、以下に掲げる構成とした。
本発明の携帯型電子機器は、動作負荷が異なる複数の動作を行う携帯型電子機器であって、前記動作を行うための動作電力を供給するバッテリと、該バッテリへの充電を制御すると共に、前記動作を行うための動作電力を供給する充電制御手段と、該充電制御手段による前記バッテリへの充電時には、前記バッテリにおけるバッテリ残量に応じて前記動作を制限し、前記バッテリ残量が多くなるほど動作負荷が重い前記動作を順次実行可能に制御する動作制御手段とを具備することを特徴とする。
【０００６】
さらに、本発明の携帯型電子機器は、前記バッテリの前記バッテリ残量を常時検出する残量検出手段を具備し、前記動作制御手段は、前記残量検出手段によって検出された前記バッテリ残量に応じて前記動作を制限することを特徴とする。
【０００７】
さらに、本発明の携帯型電子機器は、ネットワークからコンテンツを取得する通信手段と、該通信手段によって取得された前記コンテンツを記録する情報記録手段と、該情報記録手段に記録された前記コンテンツを再生する再生処理手段とを具備し、前記動作制御手段は、前記再生処理手段による前記コンテンツの再生動作を実行可能に制御する前記バッテリ残量よりも多い前記バッテリ残量で、前記通信手段による前記コンテンツの取得動作を実行可能に制御することを特徴とする。
【発明の効果】
【０００８】
本発明の携帯型電子機器は、バッテリへの充電時には、バッテリにおけるバッテリ残量に応じて動作を制限し、バッテリ残量が多くなるほど動作負荷が重い動作を順次実行可能に制御するように構成することにより、充電の初期状態で動作負荷が重い動作の実行を制限することができるため、バッテリの充電時に、動作を実行する場合でも、バッテリを充電する電力を確保し、短時間でバッテリの充電を完了させることができるという効果を奏する。
【０００９】
さらに、本発明の携帯型電子機器は、バッテリのバッテリ残量を常時検出する残量検出手段を設け、残量検出手段によって検出されたバッテリ残量に応じて動作を制限するように構成することにより、充電の進行具合に応じて、動作負荷が重い動作を順次実行可能に制御することができるため、充電に影響を与えることがない範囲で、動作負荷が重い動作を順次実行可能に制御することができるという効果を奏する。
【００１０】
さらに、本発明の携帯型電子機器は、再生処理手段によるコンテンツの再生動作を実行可能に制御するバッテリ残量よりも多いバッテリ残量で、通信手段によるコンテンツの取得動作を実行可能に制御するように構成することにより、充電の進行具合に応じて、再生処理手段によるコンテンツの再生動作を実行可能に制御した後に、再生処理手段によるコンテンツの再生動作よりも動作負荷が重い通信手段によるコンテンツの取得動作を実行可能に制御することができるため、充電の初期状態で動作負荷が重い動作の実行を制限することができるため、バッテリの充電時に、動作を実行する場合でも、バッテリを充電する電力を確保し、短時間でバッテリの充電を完了させることができるという効果を奏する。
【発明を実施するための最良の形態】
【００１１】
以下、本発明の実施の形態を図面に基づいて詳細に説明する。
【００１２】
図１は、本発明に係る携帯型電子機器の実施の形態の外観構成を示す構成図あり、図２は、図１に示す携帯型電子機器の内部構成を示すブロック図あり、図３は、図１に示すバッテリの充電レベルと実行可能な動作との関係を示す図である。
【００１３】
本実施の形態の携帯型電子機器は、図１を参照すると、コンテンツ（音声データ、画像データ、映像データ）を記録再生するオーディオプレーヤ等の、リチウムイオン電池、ニッケル水素電池、ニカド電池等の二次電池からなるバッテリ２０によって動作する携帯型記録再生装置１であり、携帯型記録再生装置１は、各種機能キーからなる入力部１１と、ＬＣＤ（Liquid Crystal Display）等により構成された表示部１２とを有し、インターネット等のネットワーク３０からダウンロードしたコンテンツを記録する機能と、記録しているコンテンツを再生し、音声データは、接続されているヘッドフォン４０に、画像データおよび映像データは、表示部１２に出力する機能とを有する。
【００１４】
図２を参照すると、携帯型記録再生装置１は、動作負荷が異なる複数の動作を行う動作部１０と、商用交流電力を所定の直流電力に変換するＡＣアダプタ５０が接続されているときに、ＡＣアダプタ５０から供給される直流電力をバッテリ２０に充電電力として供給すると共に、ＡＣアダプタ５０から供給される直流電力を動作部１０に動作電力として供給する充電制御部２と、バッテリ２０のバッテリ残量を検出する残量検出部３とを備えている。
【００１５】
動作部１０は、表示部１２と、入力部１１のキー操作に対応する操作信号を出力する入力検出部１３と、有線もしくは無線でネットワーク３０に接続する機能を有し、ネットワーク３０上の各種サーバからＨＴＴＰ（Hypertext Transfer Protocol）やＦＴＰ（File Transfer Protocol）等に基づいてネットワーク３０上の各種サーバからコンテンツをダウンロードやストリーミングで取得する通信部１４と、通信部１４によってダウンロードされたコンテンツが記録されるＨＤＤ等の記録手段である情報記録部１５と、情報記録部１５に記録されたコンテンツを伸長して再生し、画像および映像は、表示部１２に表示させ、音声は、接続されたヘッドフォン４０から出力する再生処理部１６と、入力検出部１３から入力される操作信号に基づいて通信部１４、情報記録部１５および再生処理部１６の動作を制御する動作制御部１７とからなる。
【００１６】
充電制御部２は、ＡＣアダプタ５０が接続されているか否かを判別する機能を有し、ＡＣアダプタ５０が接続されているか否かを動作制御部１７に通知すると共に、定電流で充電し、ピーク後の降下電圧（−ΔＶ）を検出して充電制御を行う−ΔＶ制御充電方式や、定電流で充電し、電池が規定電圧に達したら低電圧充電に切り換え、充電電流が規定値以下で充電を終了する定電流定電圧充電方式でバッテリ２０の充電を行う。
【００１７】
残量検出部３は、バッテリ２０のバッテリ残量を常時検出しており、検出したバッテリ残量を動作制御部１７に出力する。
【００１８】
動作制御部１７は、ＡＣアダプタ５０が接続され、且つ電源がオンされているときには、残量検出部３が入力されるバッテリ残量を判定し、バッテリ残量の判定結果に基づいて、動作部１０において行われる動作の制限を行う。本実施の形態では、図３に示すように、動作制御部１７は、残量検出部３から入力されるバッテリ残量がバッテリ残量ゼロのレベル０〜満充電のレベル７の８段階のいずれに該当するかを判定し、判定したレベル０〜レベル７に基づいて、動作部１０における動作の制限を行う。
【００１９】
動作部１０における動作としては、入力部１１のキー操作によって、表示部１２に表示される設定画面に基づいて各種設定を行う「画面操作」と、再生処理部１６によって、情報記録部１５にコンテンツとして記録されている画像データを再生して表示部１２に表示させる「静止画再生」と、再生処理部１６によって、情報記録部１５にコンテンツとして記録されている音声データを再生してヘッドフォン４０から出力する「音声再生」と、再生処理部１６によって、情報記録部１５にコンテンツとして記録されている映像データを再生して表示部１２に表示させる「動画再生」と、情報記録部１５にコンテンツを記録させる「録音・録画」と、通信部１４によって、ネットワーク３０からコンテンツをダウンロードやストリーミングで取得する「通信」とが存在し、動作負荷は、最も軽い「画面操作」から「静止画再生」、「音声再生」、「動画再生」、「録音・録画」、「通信」の順に重くなっている。
【００２０】
バッテリ残量が残量ゼロのレベル０では、動作制御部１７は、動作部１０における動作を一切認めず、充電制御部２によるバッテリ２０の充電のみが行われる。なお、充電制御部２によるバッテリ２０の充電は、バッテリ残量が満充電のレベル７に到達するまで継続的に行われる。
【００２１】
動作制御部１７は、バッテリ残量がレベル１に到達すると、動作部１０における最も動作負荷が軽い動作である「画面操作」を実行可能に制御し、バッテリ残量がレベル２に到達すると、「画面操作」に加えて、「画面操作」よりも動作負荷が重い動作である「静止画再生」を実行可能に制御し、バッテリ残量がレベル３に到達すると、「画面操作」および「静止画再生」に加えて、「静止画再生」よりも動作負荷が重い動作である「音声再生」を実行可能に制御し、バッテリ残量がレベル４に到達すると、「画面操作」、「静止画再生」および「音声再生」に加えて、「音声再生」よりも動作負荷が重い動作である「動画再生」を実行可能に制御し、バッテリ残量がレベル５に到達すると、「画面操作」、「静止画再生」、「音声再生」および「動画再生」に加えて、「動画再生」よりも動作負荷が重い動作である「録音・録画」を実行可能に制御し、バッテリ残量がレベル６に到達すると、「画面操作」、「静止画再生」、「音声再生」、「動画再生」および「録音・録画」に加えて、「録音・録画」よりも動作負荷が重い動作である「通信」を実行可能に制御する。すなわち、動作制御部１７は、バッテリ残量が高くなるのに伴い、動作負荷の軽い動作から順次実行可能に制御するものであり、言い換えるならば、バッテリ残量が低いほど、動作負荷の重い動作を制限することで、動作部１０における動作が充電制御部２によるバッテリ２０の充電に影響を及ぼさないように制御する。
【００２２】
次に、本実施の形態における充電時の動作制限制御について図４を参照して詳細に説明する。
図４は、本発明に係る携帯型電子機器の実施の形態における充電時の動作制限制御を説明するためのフローチャートである。
【００２３】
携帯型記録再生装置１にＡＣアダプタ５０が接続され、充電制御部２によるバッテリ２０の充電時に、電源がオンされた場合には、動作制御部１７は、バッテリ２０のバッテリ残量に応じて動作部１０の動作を制限する動作制限制御を行う。
【００２４】
動作制御部１７は、残量検出部３からのバッテリ残量の入力を監視しており（ステップＡ１）、残量検出部３からバッテリ残量が入力されると、残量検出部３から入力されるバッテリ残量がバッテリ残量ゼロのレベル０〜満充電のレベル７の８段階のいずれに該当するかを判定する（ステップＡ２）。
【００２５】
次に、動作制御部１７は、ステップＡ２で判定したレベルがレベル０であるか否かを判断し（ステップＡ３）、ステップＡ２で判定したレベルがレベル０である場合、すなわちバッテリ残量がゼロである場合には、動作部１０における全動作を制限し（ステップＡ４）、ステップＡ１に戻って、残量検出部３からのバッテリ残量の入力を監視する。
【００２６】
ステップＡ３においてステップＡ２で判定したレベルがレベル０でない場合には、動作制御部１７は、ステップＡ２で判定したレベルがレベル１〜レベル６であるか否かを判断し（ステップＡ５）、ステップＡ２で判定したレベルがレベル１〜レベル６である場合には、ステップＡ２で判定したレベルに応じた動作を実行可能に制御し（ステップＡ６）、ステップＡ１に戻って、残量検出部３からのバッテリ残量の入力を監視する。
【００２７】
ステップＡ５においてステップＡ２で判定したレベルがレベル１〜レベル６でない場合、すなわちバッテリが満充電である場合には、充電制御部２によるバッテリ２０の充電が終了され（ステップＡ７）、動作制御部１７は、充電時の動作制限制御を終了する。
【００２８】
以上説明したように、本実施の形態によれば、バッテリ２０への充電時に、動作制御部１７は、バッテリ２０におけるバッテリ残量に応じて動作部１０における動作を制限し、バッテリ残量が多くなるほど動作負荷が重い動作を順次実行可能に制御するように構成することにより、充電の初期状態で動作負荷が重い動作の実行を制限することができるため、バッテリ２０の充電時に、動作を実行する場合でも、バッテリ２０を充電する電力を確保し、短時間でバッテリ２０の充電を完了させることができるという効果を奏する。
【００２９】
さらに、本実施の形態によれば、バッテリ２０のバッテリ残量を常時検出する残量検出部３を設け、動作制御部１７は、残量検出部３によって検出されたバッテリ残量に応じて動作部１０における動作を制限するように構成することにより、充電の進行具合に応じて、動作負荷が重い動作を順次実行可能に制御することができるため、充電に影響を与えることがない範囲で、動作負荷が重い動作を順次実行可能に制御することができるという効果を奏する。
【００３０】
さらに、本実施の形態によれば、動作制御部１７は、再生処理部１６によるコンテンツの再生動作を実行可能に制御するバッテリ残量よりも多いバッテリ残量で、通信部１４によるコンテンツの取得動作を実行可能に制御するように構成することにより、充電の進行具合に応じて、再生処理部１６によるコンテンツの再生動作を実行可能に制御した後に、再生処理部１６によるコンテンツの再生動作よりも動作負荷が重い通信部１４によるコンテンツの取得動作を実行可能に制御することができるため、充電の初期状態で動作負荷が重い動作の実行を制限することができるため、バッテリ２０の充電時に、動作を実行する場合でも、バッテリ２０を充電する電力を確保し、短時間でバッテリ２０の充電を完了させることができるという効果を奏する。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３２】
【図１】本発明に係る携帯型電子機器の実施の形態の外観構成を示す構成図ある。
【図２】図１に示す携帯型電子機器の内部構成を示すブロック図である。
【図３】図１に示すバッテリの充電レベルと実行可能な動作との関係を示す図である。
【図４】本発明に係る携帯型電子機器の実施の形態における充電時の動作制限制御を説明するためのフローチャートである。
【符号の説明】
【００３３】
１  携帯型記録再生装置
２  充電制御部
３  残量検出部
１０  動作部
１１  入力部
１２  表示部
１３  入力検出部
１４  通信部
１５  情報記録部
１６  再生処理部
１７  動作制御部
２０  バッテリ
３０  ネットワーク
４０  ヘッドフォン
５０  ＡＣアダプタ
【図１】
2008131777.tif 000003
【図２】
2008131777.tif 000004
【図３】
2008131777.tif 000005
【図４】
2008131777.tif 000006